(57)【要約】【課題】カメラ子機と接続アダプタとの間を無線化してデータの送受信を行うとともに、接続アダプタと端末との間のデータの送受信をインターネットを介して行う。【解決手段】カメラ子機１のカメラ１３にて撮像／作成された映像や子機マイク１４へと入力された音声を接続アダプタ２へと無線送信でき、この映像はビデオ表示器２３にて出画され、音声はアダプタスピーカ２６から出力される。また、カメラ子機からの映像および音声は、接続アダプタのＷｅｂインターフェース回路２９を介してインターネットプロトコル変換された後、インターネット４を介して端末３へと伝送できる。さらに、接続アダプタのアダプタマイク２５へと入力された音声や端末へと入力されインターネットプロトコル変換された後、インターネットを介して接続アダプタへと伝送されてきた音声をカメラ子機へと無線送信でき、これらの音声は子機スピーカ１５から出力される。【選択図】  図１
2004304550.tif 000002
【特許請求の範囲】
【請求項１】
来訪者を撮像して映像を作成するためのカメラ（１３）、音声で通話を行うための子機マイク（１４）、子機スピーカ（１５）および子機送受話回路（１６）、前記映像および音声をＡ／Ｄ・Ｄ／Ａ変換するための子機Ａ／Ｄ・Ｄ／Ａ変換回路（１７）、前記映像を送信し、前記音声を送受信するための子機無線送受信回路（１８）を備えたカメラ子機（１）と、前記映像を受信し、前記音声を送受信するためのアダプタ無線送受信回路（２２）、前記無線送受信回路に接続されインターネットプロトコル変換機能を有するＷｅｂインターフェース回路（２９）を備えた接続アダプタ（２）との間を無線化し、
前記接続アダプタは、前記映像を表示し、前記音声を送受信し、インターネットＷｅｂ機能を有する端末（３）が前記Ｗｅｂインターフェース回路に接続されることを特徴とするテレビドアホン装置。
【請求項２】
前記接続アダプタは、前記アダプタ無線送受信回路に接続され前記映像および音声をＡ／Ｄ・Ｄ／Ａ変換するためのアダプタＡ／Ｄ・Ｄ／Ａ変換回路（２８）、前記映像を出画するためのビデオ表示器（２３）、前記音声で通話を行うためのアダプタマイク（２５）、アダプタスピーカ（２６）およびアダプタ送受話回路（２７）を備えたことを特徴とする請求項１記載のテレビドアホン装置。
【発明の詳細な説明】
【０００１】
【発明の属する技術分野】
本発明はテレビドアホン装置に係り、特に、無線によるデータの送受信機能およびインターネットへの接続機能を有するテレビドアホン装置に関する。
【０００２】
【従来の技術】
従来から、この種のテレビドアホン装置として、美観を損ねることなく増設親機を容易に設けることができ、しかも、室内のレイアウトが決定した後であっても増設親機の設置場所を自由に変更することが可能なインターホン装置が開示されている（例えば、特許文献１）。
【０００３】
従来例のインターホン装置によれば、子機からの呼び出しが行われた場合、子機へと有線接続されている親機にて呼出報知が行われるばかりでなく、親機との間で無線によるデータの送受信が可能な増設親機および／または自営基地局を介して親機との間で無線によるデータの送受信が可能なＰＨＳにて同様な呼出報知を行うことができ、この呼び出しに対して最先に応答操作を行った機器と子機との間で通話が成立する。
【０００４】
【特許文献１】特開平１１−１６８５６８号公報
【発明が解決しようとする課題】
しかしながら、従来例のインターホン装置では、子機と親機とを有線接続せねばならず、親機の設置場所に制約が生じるばかりでなく配線が煩雑となる難点があった。
【０００５】
本発明は、上述の難点を解消するためになされたもので、カメラ子機と接続アダプタとの間を無線化してデータの送受信を行い、配線が不要となることに伴い接続アダプタの設置場所の制約を解消するとともに、接続アダプタと端末との間のデータの送受信をインターネットを介して行うことができるテレビドアホン装置を提供することを目的としている。
【０００６】
【課題を解決するための手段】
上述の目的を達成するため、本発明のテレビドアホン装置は、来訪者を撮像して映像を作成するためのカメラ、音声で通話を行うための子機マイク、子機スピーカおよび子機送受話回路、映像および音声をＡ／Ｄ・Ｄ／Ａ変換するための子機Ａ／Ｄ・Ｄ／Ａ変換回路、映像を送信し、音声を送受信するための子機無線送受信回路を備えたカメラ子機と、映像を受信し、音声を送受信するためのアダプタ無線送受信回路、無線送受信回路に接続されインターネットプロトコル変換機能を有するＷｅｂインターフェース回路を備えた接続アダプタとの間を無線化するものである。接続アダプタは、映像を表示し、音声を送受信し、インターネットＷｅｂ機能を有する端末がＷｅｂインターフェース回路に接続されるものである。
【０００７】
また、本発明のテレビドアホン装置において、接続アダプタは、アダプタ無線送受信回路に接続され映像および音声をＡ／Ｄ・Ｄ／Ａ変換するためのアダプタＡ／Ｄ・Ｄ／Ａ変換回路、映像を出画するためのビデオ表示器、音声で通話を行うためのアダプタマイク、アダプタスピーカおよびアダプタ送受話回路を備えている。
【０００８】
このようなテレビドアホン装置によれば、カメラ子機のカメラにて撮像／作成された映像や子機マイクへと入力された音声を接続アダプタへと無線送信でき、この映像はビデオ表示器にて出画され、音声はアダプタスピーカから出力される。また、カメラ子機からの映像および音声は、接続アダプタのＷｅｂインターフェース回路を介してインターネットプロトコル変換された後、インターネットを介して端末へと伝送できる。さらに、接続アダプタのアダプタマイクへと入力された音声や端末へと入力されインターネットプロトコル変換された後、インターネットを介して接続アダプタへと伝送されてきた音声をカメラ子機へと無線送信でき、これらの音声は子機スピーカから出力される。
【０００９】
【発明の実施の形態】
以下、本発明のテレビドアホン装置を適用した好ましい形態の実施例について、図面を参照し説明する。
【００１０】
図１は、本発明の実施例によるテレビドアホン装置を示すシステム構成図である。
【００１１】
図１のシステム構成図に示すテレビドアホン装置は、住戸玄関に設置されており、来訪者が住戸内に在室中の居住者（以下、この居住者を在室中の居住者という。）、および／または外出等で住戸内を不在としている居住者（以下、この居住者を外出中の居住者という。）を呼び出して通話（音声通話）を行うとともに、呼出操作を行った来訪者を撮像して映像を作成するためのカメラ子機１と、住戸内に設置されカメラ子機１との間で無線によるデータの送受信が可能であり、住戸玄関に居る来訪者からの呼び出しを映像の出画と併せて報知し、これを確認した在室中の居住者が来訪者との間で通話（音声通話）を行うとともに、電話回線、光ファイバケーブル等の通信ラインＬ１を介してインターネット４への接続機能を有し、このインターネット４を介して後述する端末３との間でデータの送受信を行うための接続アダプタ２と、外出中の居住者により携行されており、来訪者からの呼び出しが映像の出画と併せて報知され、これを確認した外出中の居住者が来訪者との間で通話（音声通話）を行うとともに、インターネットＷｅｂ機能を有する端末、例えば、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｃｉｓｓｔａｎｔｓ）等の端末３と、インターネット４と、端末３および（通信ラインＬ１上の）インターネット４の間の信号伝送路を形成するための基地局（無線基地局）５とから構成されている。
【００１２】
また、カメラ子機１は、当該カメラ子機の構成各部をそれぞれ制御するための子機ＣＰＵ１０と、商用電源（ＡＣ１００Ｖ）を整流／平滑し、整流／平滑させた直流電源を動作電源として当該カメラ子機の構成各部へとそれぞれ供給するための子機電源回路１１と、住戸玄関に居る来訪者により呼出操作が行われる呼出ボタン１２と、呼出操作を行った来訪者を撮像して映像を作成するためのカメラ、例えば、ＣＣＤ（Ｃｈａｒｇｅ  Ｃｏｕｐｌｅｄ  Ｄｅｖｉｃｅｓ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等のカメラ１３と、呼出操作を行った来訪者が通話を行うための音声を入出力する子機マイク１４および子機スピーカ１５と、子機マイク１４へと入力される音声（送話音声）であり信号処理されたアナログ音声信号を４線／２線変換するとともに、子機スピーカ１５から出力される音声（受話音声）であるアナログ音声信号を２線／４線変換するための子機送受話回路１６と、カメラ１３にて撮像／作成された映像であり信号処理されたアナログ映像信号、子機送受話回路１６を介して４線／２線変換されたアナログ音声信号をそれぞれデジタル映像信号、デジタル音声信号にＡ／Ｄ変換（アナログ／デジタル変換）するとともに、接続アダプタ２から無線送信されてくる後述する子機無線送受信回路１８を介して受信されたデジタル音声信号をアナログ音声信号にＤ／Ａ変換（デジタル／アナログ変換）するための子機Ａ／Ｄ・Ｄ／Ａ変換回路１７と、子機ＣＰＵ１０からの呼出信号、子機Ａ／Ｄ・Ｄ／Ａ変換回路１７からのデジタル映像信号、デジタル音声信号を適宜、重畳して信号変換させた無線信号を接続アダプタ２へと無線送信するとともに、接続アダプタ２から無線送信されてくる無線信号を受信して電気信号に信号変換させたデジタル音声信号を子機Ａ／Ｄ・Ｄ／Ａ変換回路１７へと出力するための子機無線送受信回路１８とを備えている。
【００１３】
また、接続アダプタ２は、当該接続アダプタの構成各部をそれぞれ制御するためのアダプタＣＰＵ２０と、商用電源（ＡＣ１００Ｖ）を整流／平滑し、整流／平滑させた直流電源を動作電源として当該接続アダプタの構成各部へとそれぞれ供給するためのアダプタ電源回路２１と、カメラ子機１から無線送信されてくる無線信号を受信して電気信号に信号変換させた呼出信号をアダプタＣＰＵ２０へと出力し、同様に信号変換させたデジタル映像信号、デジタル音声信号はそれぞれ後述するアダプタＡ／Ｄ・Ｄ／Ａ変換回路２８へと出力するとともに、上述の呼出信号、デジタル映像信号を含む電気信号を後述するＷｅｂインターフェース回路２９へと出力するばかりでなく、アダプタＡ／Ｄ・Ｄ／Ａ変換回路２８またはＷｅｂインターフェース回路２９からのデジタル音声信号を無線信号に信号変換してカメラ子機１へと無線送信するためのアダプタ無線送受信回路２２と、呼出操作を行った来訪者の映像を出画するためのビデオ表示器２３と、ビデオ表示器２３にて出画される映像であるアナログ映像信号を増幅するためのビデオアンプ２４と、応答操作（詳述せず）を行った在室中の来訪者が通話を行うための音声を入出力するアダプタマイク２５およびアダプタスピーカ２６と、アダプタマイク２５へと入力される音声（送話音声）であり信号処理されたアナログ音声信号を４線／２線変換するとともに、アダプタスピーカ２６から出力される音声（受話音声）であるアナログ音声信号を２線／４線変換するためのアダプタ送受話回路２７と、アダプタ無線送受信回路２２を介して電気信号に変換されたデジタル映像信号をアナログ映像信号にＤ／Ａ変換してビデオアンプ２４へと出力し、同様に信号変換させたデジタル音声信号をアナログ音声信号にＤ／Ａ変換してアダプタ送受話回路２７へと出力するとともに、アダプタ送受話回路２７を介して４線／２線変換されたアナログ音声信号をデジタル音声信号にＡ／Ｄ変換してアダプタ無線送受信回路２２へと出力するためのアダプタＡ／Ｄ・Ｄ／Ａ変換回路２８と、アダプタ無線送受信回路２２を介して電気信号に信号変換された呼出信号、デジタル映像信号について、通信ラインＬ１上のインターネット４へと伝送させるために所定の伝送フォーマットのインターネットプロトコルによる信号にインターネットプロトコル変換するとともに、通信ラインＬ１上のインターネット４より伝送されてくる端末３からのインターネットプロトコルによる信号をインターネットプロトコル変換前の電気信号であるデジタル音声信号へと信号変換するためのＷｅｂインターフェース回路２９とを備えており、アダプタスピーカ２６は、上述の通話機能の他、来訪者からの呼び出しがある旨の呼出音を出力させる機能も有する。
【００１４】
さらに、端末３は、外出中の居住者が住戸玄関に居る来訪者からの呼び出しに応答する、または外線電話を行うためにそれぞれ操作するとともに、インターネット４上のＷｅｂ（ホームページ）へと接続してその内容を確認するための操作部３０と、呼出操作を行った来訪者の映像やＷｅｂの内容を出画するための表示部３１と、操作部３０にて応答操作、または外線呼出操作を行った外出中の居住者が通話を行うための音声を入出力する端末マイク３２および端末スピーカ３３とを備えており、端末スピーカ３３は、上述の通話機能の他、来訪者からの呼び出しがある旨の呼出音を出力させる機能も有する。
【００１５】
このように構成された本発明の実施例によるテレビドアホン装置において、以下、具体的な動作について説明する。
【００１６】
なお、本発明の実施例において、端末３にて行われる信号処理／信号変換の図示、すなわち、各種信号の図示は省略する。
【００１７】
図１のシステム構成図に示すテレビドアホン装置が待受状態、すなわち、住戸玄関に設置されるカメラ子機１から住戸内に設置される接続アダプタ２および外出中の居住者により携行されている端末３への呼び出しがなく通話（音声通話）も行われていない状態において、カメラ付親機１の構成各部には、待受時用の動作電源が子機電源回路１１からそれぞれ供給されており、接続アダプタ２の構成各部には、待受時用の動作電源がアダプタ電源回路２１からそれぞれ供給されている。
【００１８】
上述のような待受状態において、住戸玄関に居る来訪者が在室中の居住者および／または外出中の居住者を呼び出すためにカメラ子機１の呼出ボタン１２を操作すると、この呼出操作を検出した子機ＣＰＵ１０は、カメラ１３、子機Ａ／Ｄ・Ｄ／Ａ変換回路１７をそれぞれ制御して作動させるとともに、子機無線送受信回路１８へと呼出信号Ｓ１を出力するばかりでなく、子機電源回路１１を制御して待受時用の動作電源よりも大きな電源量である呼出時用の動作電源を当該カメラ子機の構成各部へとそれぞれ供給させる。
【００１９】
カメラ子機１の子機Ａ／Ｄ・Ｄ／Ａ変換回路１７は、カメラ１３にて撮像／作成された（呼出操作を行った）来訪者の映像であり信号処理されたアナログ映像信号Ｓ２をＡ／Ｄ変換し、Ａ／Ｄ変換させたデジタル映像信号Ｓ２ａを子機無線送受信回路１８へと出力する。
【００２０】
また、カメラ子機１の子機無線送受信回路１８は、子機ＣＰＵ１０からの呼出信号Ｓ１と子機Ａ／Ｄ・Ｄ／Ａ変換回路１７からのデジタル映像信号Ｓ２ａとを適宜、重畳させた呼出／映像信号Ｓ３を生成し、この呼出／映像信号Ｓ３を無線信号である呼出／映像無線信号Ｓ３ａに信号変換した後、接続アダプタ２へと無線送信する。この呼出／映像無線信号Ｓ３ａは、接続アダプタ２のアダプタ無線送受信回路２２にて受信される。
【００２１】
また、接続アダプタ２のアダプタ無線送受信回路２２は、カメラ子機１からの呼出／映像無線信号Ｓ３ａを電気信号である呼出／映像信号Ｓ３に信号変換した後、この呼出／映像信号Ｓ３に含まれている呼出信号Ｓ１およびデジタル映像信号Ｓ２ａを分離させ、呼出信号Ｓ１はアダプタＣＰＵ２０へと出力し、デジタル映像信号Ｓ２ａはアダプタＡ／Ｄ・Ｄ／Ａ変換回路２８へと出力するとともに、信号変換させた呼出／映像信号Ｓ３をＷｅｂインターフェース回路２９へと出力する。
【００２２】
また、接続アダプタ２のアダプタＣＰＵ２０は、アダプタ無線送受信回路２９からの呼出信号Ｓ１をもとに住戸玄関に居る来訪者からの呼び出しがあることを検出し、その旨を報知するためにアダプタスピーカ２６から呼出音を出力させるとともに、ビデオ表示器２３、ビデオアンプ２４、アダプタＡ／Ｄ・Ｄ／Ａ変換回路２８およびＷｅｂインターフェース回路２９をそれぞれ制御して作動させるばかりでなく、アダプタ電源回路２１を制御して待受時用の動作電源よりも大きな電源量である呼出時用の動作電源を当該親機アダプタの構成各部へとそれぞれ供給させる。
【００２３】
また、接続アダプタ２のアダプタＡ／Ｄ・Ｄ／Ａ変換回路２８は、アダプタ無線送受信回路２２からのデジタル映像信号Ｓ２ａをＤ／Ａ変換し、Ｄ／Ａ変換させたアナログ映像信号Ｓ２をビデオアンプ２４へと出力する。
【００２４】
また、接続アダプタ２のビデオ表示器２３は、ビデオアンプ２４を介して増幅されたアナログ映像信号Ｓ２を信号処理して呼出操作を行った来訪者の映像を出画することにより、在室中の居住者は、接続アダプタ２のアダプタスピーカ２６からの呼出音の出力およびビデオ表示器２３での映像の出画をもとに、住戸玄関に居る来訪者からの呼び出しを当該来訪者の識別と併せて確認できる。
【００２５】
また、接続アダプタ２のＷｅｂインターフェース回路２９は、アダプタ無線送受信回路２２からの呼出／映像信号Ｓ３を所定の伝送フォーマットのインターネットプロトコルによる信号（以下、インターネットプロトコル信号という。）Ｓ４にインターネットプロトコル変換した後、このインターネットプロトコル信号Ｓ４を、通信ラインＬ１上のインターネット４、基地局５を介して端末３へと伝送させる。
【００２６】
さらに、端末３では、接続アダプタ２からのインターネットプロトコル信号Ｓ４についてインターネットプロトコル変換前の呼出／映像信号Ｓ３に信号変換した後、信号変換させた呼出／映像信号Ｓ３に含まれている呼出信号Ｓ１をもとに住戸玄関に居る来訪者からの呼び出しがあることを検出し、その旨を報知するための呼出音を端末スピーカ３３から出力させるとともに、同様に信号変換させた呼出／映像信号Ｓ３に含まれているデジタル映像信号Ｓ２ａをＤ／Ａ変換して呼出操作を行った来訪者の映像を表示部３１へと出画させることにより、外出中の居住者は、端末３の端末スピーカ３３からの呼出音の出力および表示部３１での映像の出画をもとに、住戸玄関に居る来訪者からの呼び出しを当該来訪者の識別と併せて確認できる。
【００２７】
次に、住戸玄関に居る来訪者を当該来訪者の識別と併せて確認した在室中の居住者および外出中の居住者のうち、最先に応答操作を行った居住者、先ず、在室中の居住者が接続アダプタ２にて応答操作（詳述せず）を行うと、この応答操作を検出したアダプタＣＰＵ２０およびカメラ子機１の子機ＣＰＵ１０の制御（詳述せず）により、アダプタ送受話回路２７と子機送受話回路１６とがそれぞれ作動して、在室中の居住者が使用するアダプタマイク２５およびアダプタスピーカ２６と、アダプタ送受話回路２７、アダプタＡ／Ｄ・Ｄ／Ａ変換回路２８、アダプタ無線送受信回路２２、カメラ子機１の子機無線送受信回路１８、子機Ｄ／Ａ・Ａ／Ｄ変換回路１７、子機送受話回路１６を介して来訪者が使用する子機マイク１４および子機スピーカ１５との間の通話路（以下、第１の通話路という。）が形成される。
【００２８】
ここで、上述のような第１の通話路が形成されている状態において、在室中の居住者により接続アダプタ２のアダプタマイク２５へと入力された音声は、アダプタ送受話回路２７を介して４線／２線変換されたアナログ音声信号Ｓ１０としてアダプタＡ／Ｄ・Ｄ／Ａ変換回路２８へと伝送される。また、アダプタＡ／Ｄ・Ｄ／Ａ変換回路２８は、アダプタ送受話回路２７からのアナログ音声信号Ｓ１０をＡ／Ｄ変換し、Ａ／Ｄ変換させたデジタル音声信号Ｓ１０ａをアダプタ無線送受信回路２２へと出力する。
【００２９】
接続アダプタ２のアダプタ無線送受信回路２２は、アダプタＡ／Ｄ・Ｄ／Ａ変換回路２８からのデジタル音声信号Ｓ１０ａを無線信号であるアダプタ側音声無線信号Ｓ１１に信号変換した後、カメラ子機１へと無線送信する。このアダプタ側音声無線信号Ｓ１１は、カメラ子機１の子機無線送受信回路１８にて受信される。
【００３０】
また、カメラ子機１の子機無線送受信回路１８は、接続アダプタ２からのアダプタ側音声無線信号Ｓ１１を電気信号であるデジタル音声信号Ｓ１０ａに信号変換した後、このデジタル音声信号Ｓ１０ａを子機Ａ／Ｄ・Ｄ／Ａ変換回路１７へと出力する。
【００３１】
また、カメラ子機１の子機Ａ／Ｄ・Ｄ／Ａ変換回路１７は、子機無線送受信回路１８からのデジタル音声信号Ｓ１０ａをＤ／Ａ変換し、Ｄ／Ａ変換させたアナログ音声信号Ｓ１０を子機送受話回路１６へと出力する。
【００３２】
さらに、カメラ子機１の子機送受話回路１６は、子機Ａ／Ｄ・Ｄ／Ａ変換回路１７からのアナログ音声信号Ｓ１０を２線／４線変換して子機スピーカ１５へと出力することにより、在室中の居住者の音声が子機スピーカ１５から出力される。
【００３３】
一方、上述のような第１の通話路が形成されている状態において、来訪者によりカメラ子機１の子機マイク１４へと入力された音声は、子機送受話回路１６を介して４線／２線変換されたアナログ音声信号Ｓ２０として子機Ａ／Ｄ・Ｄ／Ａ変換回路１７へと伝送される。また、子機Ａ／Ｄ・Ｄ／Ａ変換回路１７は、子機送受話回路１６からのアナログ音声信号Ｓ２０をＡ／Ｄ変換し、Ａ／Ｄ変換させたデジタル音声信号Ｓ２０ａを子機無線送受信回路１８へと出力する。
【００３４】
カメラ子機１の子機無線送受信回路１８は、子機Ａ／Ｄ・Ｄ／Ａ変換回路１７からのデジタル音声信号Ｓ２０ａと上述の呼出操作時から継続して出力されているデジタル映像信号Ｓ２ａとを適宜、重畳させた子機側音声／映像信号Ｓ２１を生成し、この子機側音声／映像信号Ｓ２１を無線信号である子機側音声／映像無線信号Ｓ２１ａに信号変換した後、接続アダプタ２へと無線送信する。この子機側音声／映像無線信号Ｓ２１ａは、上述の呼出／映像無線信号Ｓ３ａと同様、接続アダプタ２のアダプタ無線送受信回路２２にて受信される。
【００３５】
また、接続アダプタ２のアダプタ無線送受信回路２２は、カメラ子機１からの子機側音声／映像無線信号Ｓ２１ａを電気信号である子機側音声／映像信号Ｓ２１に信号変換した後、この子機側音声／映像信号Ｓ２１に含まれているデジタル音声信号Ｓ２０ａおよびデジタル映像信号Ｓ２ａを分離させてそれぞれアダプタＡ／Ｄ・Ｄ／Ａ変換回路２８へと出力する。
【００３６】
また、接続アダプタ２のアダプタＡ／Ｄ・Ｄ／Ａ変換回路２８は、アダプタ無線送受信回路２２からのデジタル音声信号Ｓ２０ａとデジタル映像信号Ｓ２ａとをぞれぞれＤ／Ａ変換し、Ｄ／Ａ変換させたアナログ音声信号Ｓ２０はアダプタ送受話回路２７へ出力し、同様にＤ／Ａ変換させたアナログ映像信号Ｓ２はビデオアンプ２４へと出力する。
【００３７】
さらに、接続アダプタ２のアダプタ送受話回路２７は、アダプタＡ／Ｄ・Ｄ／Ａ変換回路２８からのアナログ呼出信号Ｓ２０を２線／４線変換してアダプタスピーカ２６へと出力することにより、来訪者の音声がアダプタスピーカ２６から出力され、このとき、ビデオ表示器２３には、ビデオアンプ２４を介して増幅されたアナログ映像信号Ｓ２をもとに通話中の来訪者の映像が出画され、在室中の居住者はこの映像を確認しながら来訪者との間で通話（音声通話）を行うことができる。
【００３８】
次に、住戸玄関に居る来訪者を当該来訪者の識別と併せて確認した在室中の居住者および外出中の居住者のうち、最先に応答操作を行った居住者、ここでは、外出中の居住者が端末３の操作部３０にて応答操作を行うと、この応答操作を検出した端末３およびカメラ子機１の子機ＣＰＵ１０の制御（詳述せず）により、端末３の通話路形成機能（詳述せず）と子機送受話回路１６とがそれぞれ作動して、外出中の居住者が使用する端末マイク３２および端末スピーカ３３と、基地局５、通信ラインＬ１上のインターネット４、接続アダプタ２のＷｅｂインターフェース回路２９、アダプタ無線送受信回路２２、カメラ子機１の子機無線送受信回路１８、子機Ａ／Ｄ・Ｄ／Ａ変換回路１７、子機送受話回路１６を介して来訪者が使用する子機マイク１４および子機スピーカ１５との間の通話路（以下、第２の通話路という。）が形成される。
【００３９】
ここで、上述のような第２の通話路が形成されている状態において、外出中の居住者により端末３の端末マイク３２へと入力された音声であり信号処理されたアナログ音声信号Ｓ３０は、デジタル音声信号Ｓ３０ａにＡ／Ｄ変換される。このデジタル音声信号Ｓ３０ａは、所定の伝送フォーマットのインターネットプロトコル信号Ｓ３１にインターネットプロトコル変換された後、基地局５、通信ラインＬ１上のインターネット４を介して接続アダプタ２のＷｅｂインターフェース回路２９へと伝送される。
【００４０】
接続アダプタ２のＷｅｂインターフェース回路２９は、端末３からのインターネットプロトコル信号Ｓ３１についてインターネットプロトコル変換前のデジタル音声信号Ｓ３０ａに信号変換した後、このデジタル音声信号Ｓ３０ａをアダプタ無線送受信回路２２へと出力する。
【００４１】
また、接続アダプタ２のアダプタ無線送受信回路２２は、Ｗｅｂインターフェース回路２９からのデジタル音声信号Ｓ３０ａを無線信号である端末側音声無線信号Ｓ３２に信号変換した後、カメラ子機１へと無線送信する。この端末側音声無線信号Ｓ３２は、上述のアダプタ側音声無線信号Ｓ１１と同様、カメラ子機１の子機無線送受信回路１８にて受信される。
【００４２】
また、カメラ子機１の子機無線送受信回路１８は、接続アダプタ２からの端末側音声無線信号Ｓ３２を電気信号であるデジタル音声信号Ｓ３０ａに信号変換した後、このデジタル音声信号Ｓ３０ａを子機Ａ／Ｄ・Ｄ／Ａ変換回路１７へと出力する。
【００４３】
また、カメラ子機１の子機Ａ／Ｄ・Ｄ／Ａ変換回路１７は、子機無線送受信回路１８からのデジタル音声信号Ｓ３０ａをＤ／Ａ変換し、Ｄ／Ａ変換させたアナログ音声信号Ｓ３０を子機送受話回路１６へと出力する。
【００４４】
さらに、カメラ子機１の子機送受話回路１６は、子機Ａ／Ｄ・Ｄ／Ａ変換回路１７からのアナログ音声信号Ｓ３０を２線／４線変換して子機スピーカ１５へと出力することにより、外出中の居住者の音声が子機スピーカ１５から出力される。
【００４５】
一方、上述のような第２の通話路が形成されている状態において、来訪者によりカメラ子機１の子機マイク１４へと入力された音声についての信号伝送／信号処理を説明するにあたり、カメラ子機１からの子機側音声／映像無線信号Ｓ２１ａが接続アダプタ２のアダプタ無線送受信回路２２にて受信されるまでの動作は、第１の通話路が形成されている状態と同様の動作であることから説明は省略する。
【００４６】
接続アダプタ２のアダプタ無線送受信回路２２は、カメラ子機１からの子機側音声／映像無線信号Ｓ２１ａを電気信号である子機側音声／映像信号Ｓ２１に信号変換した後、この子機側音声／映像信号Ｓ２１をＷｅｂインターフェース回路２９へと出力する。
【００４７】
また、接続アダプタ２のＷｅｂインターフェース回路２９は、アダプタ無線送受信回路２２からの子機側音声／映像信号Ｓ２１について所定の伝送フォーマットのインターネットプロトコル信号Ｓ２２にインターネットプロトコル変換した後、このインターネットプロトコル信号Ｓ２２を、上述のインターネットプロトコル信号Ｓ４と同様な経路を介して端末３へと伝送させる。
【００４８】
さらに、端末３では、接続アダプタ２からのインターネットプロトコル信号Ｓ２２についてインターネットプロトコル変換前の子機側音声／映像信号Ｓ２１に信号変換した後、信号変換させた子機側音声／映像信号Ｓ２１に含まれているデジタル音声信号Ｓ２０ａをアナログ音声信号Ｓ２０にＤ／Ａ変換して来訪者の音声を端末スピーカ３３から出力させるとともに、同様に信号変換させた子機側音声／映像信号Ｓ２１に含まれているデジタル映像信号Ｓ２ａをアナログ映像信号Ｓ２にＤ／Ａ変換して通話中の来訪者の映像を表示部３１へと出画させることにより、外出中の居住者は、この映像を確認しながら来訪者との間で通話（音声通話）を行うことができる。
【００４９】
なお、本発明の実施例では、カメラ子機１との間で無線によるデータの送受信が可能な接続アダプタを、１台の接続アダプタ２として説明したが、設置台数は１台に限定されず、例えば、住戸内の複数の居室毎に接続アダプタ２、２、・・・をそれぞれ設置した場合でもカメラ子機１との間で無線によるデータの送受信が可能であり、接続アダプタ２、２、・・・の設置場所への制約が解消され配線も不要となる。
【００５０】
また、本発明の実施例では、カメラ子機１の子機ＣＰＵ１０および子機無線送受信回路１８、接続アダプタ２のアダプタＣＰＵ２０およびアダプタ無線送受信回路２２をそれぞれ接続させて呼出信号Ｓ１の伝送路を形成していたが、これに限定されず、カメラ子機１における呼出信号Ｓ１の伝送路として子機ＣＰＵ１０から子機Ａ／Ｄ・Ｄ／Ａ変換回路１７を介した子機無線送受信回路１８への伝送路、接続アダプタ２における呼出信号Ｓ１の伝送路としてアダプタ無線送受信回路２２からアダプタＡ／Ｄ・Ｄ／Ａ変換回路２８を介したアダプタＣＰＵ２０への伝送路をそれぞれ形成することもでき、これらの伝送路を形成するにあたり、子機ＣＰＵ１０および子機無線送受信回路１８の間の伝送路、アダプタＣＰＵ２０およびアダプタ無線送受信回路２２の間の伝送路は不要となるばかりでなく、子機Ａ／Ｄ・Ｄ／Ａ変換回路１７、アダプタＡ／Ｄ・Ｄ／Ａ変換回路２８では、入力された呼出信号Ｓ１を信号処理せずに子機無線送受信回路１８、アダプタＣＰＵ２０へとそれぞれ出力することになる。
【００５１】
さらに、本発明の実施例では、在室中の居住者が通話（音声通話）を行うために使用する接続アダプタ２の構成部として、拡声通話を行うためのアダプタマイク２５およびアダプタスピーカ２６を適用したが、これに限定されず、ハンドセット通話を行うためのマイクおよびレシーバを有するハンドセットを接続アダプタ２に備えることもでき、このハンドセットを備えるにあたり、アダプタマイク２５は不要となる。
【００５２】
【発明の効果】
以上の説明から明らかなように、本発明のテレビドアホン装置によれば、映像撮像機能、通話機能を有するカメラ子機と映像出画機能、通話機能を有する接続アダプタとの間を無線化してデータの送受信が可能となり、これらの機器間の配線が不要とされ接続アダプタの設置場所の制約も解消する。また、接続アダプタと映像出画機能、通話機能およびインターネットＷｅｂ機能を有する端末との間でインターネットを介してデータの送受信が可能となる。
【図面の簡単な説明】
【図１】本発明の実施例によるテレビドアホン装置を示すシステム構成図である。
【符号の説明】
１・・・・・カメラ子機
１３・・・・・カメラ
１４・・・・・子機マイク
１５・・・・・子機スピーカ
１６・・・・・子機送受話回路
１７・・・・・子機Ａ／Ｄ・Ｄ／Ａ変換回路
１８・・・・・子機無線送受信回路
２・・・・・接続アダプタ
２２・・・・・アダプタ無線送受信回路
２３・・・・・ビデオ表示器
２５・・・・・アダプタマイク
２６・・・・・アダプタスピーカ
２７・・・・・アダプタ送受話回路
２８・・・・・アダプタＡ／Ｄ・Ｄ／Ａ変換回路
２９・・・・・Ｗｅｂインターフェース回路
３・・・・・端末
【図１】
2004304550.tif 000003